(57)【要約】【課題】ユーザーによる映像サービスの視認をじゃましないようにしつつ、ユーザーが受信状態を把握できるデジタル放送受信装置を提供する。【解決手段】デジタル放送信号を受信するアンテナ１０１と、受信されたデジタル放送信号の電界強度を検出する高周波部１０２と、検出された電界強度の大きさに応じて、音を出力する音提示部Ａ１１１と、を備える。このとき、音提示部Ａ１１１は、検出された電界強度の大きさに応じて、周波数を変化させて音を出力するようにしてもよい。【選択図】図１
2006303560.tif 000002
【特許請求の範囲】
【請求項１】
デジタル放送信号を受信する受信手段と、
前記受信されたデジタル放送信号の電界強度を検出する検出手段と、
前記検出された電界強度の大きさに応じて、音を出力する音出力手段と、
を備えるデジタル放送受信装置。
【請求項２】
前記音出力手段は、前記検出された電界強度の大きさに応じて、周波数を変化させて音を出力する、
請求項１に記載の放送受信装置。
【請求項３】
前記検出された電界強度の大きさの最大値を保持するピークホールド部と、
前記保持された電界強度の最大値に応じて、音を出力する第２音出力手段とをさらに備える請求項１または２に記載のデジタル放送受信装置。
【請求項４】
デジタル放送信号を受信する受信手段と、
前記受信されたデジタル放送信号の誤り率を算出する誤り率算出手段と、
前記算出された誤り率の大きさに応じて、音を出力する音出力手段と、
を備えるデジタル放送受信装置。
【請求項５】
デジタル放送信号を受信し、
前記受信されたデジタル放送信号の電界強度を検出し、
前記検出された電界強度の大きさに応じて、音を出力する、
デジタル放送受信方法。
【発明の詳細な説明】
【技術分野】
【０００１】
この発明は、デジタル放送受信装置に関する。詳しくは、受信する電波状態が最も良好な方向を判別するできるデジタル放送受信装置に関する。
【背景技術】
【０００２】
従来、受信状態の最も良好な方向を判別する方法として、特許文献１に開示された装置があった。この装置によれば、電界強度を点灯画素数の変化や点灯色の変化として視覚表示することで、電波の最も強い方向を簡単に判別させることができる。
【特許文献１】特開２００２−３４０７７号公報
【発明の開示】
【発明が解決しようとする課題】
【０００３】
デジタル放送の場合、マルチパスなどの妨害現象のため、電波の最も強い方向と受信状態の最も良好な方向とが必ずしも一致しない。そのため、映像などの視覚サービスを伴うデジタル放送を受信する場合、サービスの表示状態と電界強度の表示を同時に参照することが求められる。
【０００４】
しかし従来の技術では両方の表示が視覚的に行われるため、同時に参照するのが困難であるという問題があった。
【０００５】
そこで、本発明は、ユーザーによる映像サービスの視認をじゃましないようにしつつ、ユーザーが受信状態を把握できるデジタル放送受信装置を提供することを目的とする。
【課題を解決するための手段】
【０００６】
本発明は、デジタル放送信号を受信する受信手段と、受信されたデジタル放送信号の電界強度を検出する検出手段と、検出された電界強度の大きさに応じて、音を出力する音出力手段と、を備える。
【０００７】
また、本発明は、デジタル放送信号を受信する受信手段と、受信されたデジタル放送信号の誤り率を算出する誤り率算出手段と、算出された誤り率の大きさに応じて、音を出力する音出力手段と、を備える構成であってもよい。
【発明の効果】
【０００８】
本発明は、映像サービスを視覚的に提供しつつ、受信状態を聴覚的にユーザーに提示する。そのため、ユーザーは別々の感覚で映像サービスと受信状態とを同時に把握できる。したがって、本発明によれば、ユーザーによる映像サービスの視認をじゃましないようにしつつ、ユーザーが受信状態を把握できるデジタル放送受信装置を提供できる。
【発明を実施するための最良の形態】
【０００９】
（実施の形態１）
本発明の実施の形態１にかかるデジタル放送受信装置は、携帯可能である。そのため、ユーザーがデジタル放送受信装置を持ち運ぶ位置によって、デジタル放送信号の受信状態は頻繁に変化する。そこで、このデジタル放送受信装置は、受信状態をユーザーに、音により知らせる機能を有する。
【００１０】
図１は、本発明の実施の形態１にかかるデジタル放送受信装置の構成を示す図である。図１において、１０１はデジタル放送波を受信するアンテナである。１０２は所望の放送波を増幅・周波数変換する高周波部である。また、高周波部１０２は、受信されたデジタル放送信号の電界強度を検出する。
【００１１】
１０３は周波数変換された放送信号を復調する信号処理部である。１０４は復調された放送信号を画像として提示する画像提示部である。画像提示部１０４は、液晶ディスプレイや有機ＥＬディスプレイ等の表示手段である。
【００１２】
１１１及び１２２は、それぞれ周波数を可聴範囲内で可変可能なトーン音を提示する音提示部Ａおよび音提示部Ｂである。音提示部Ａ１１１や音提示部Ｂ１１２は、音を示す信号を生成する回路とスピーカ等により構成される。１２１は入力電圧の最大値を記憶保持するピークホールド部である。
【００１３】
なお、アンテナ１０１は本発明の受信手段の一例である。高周波部１０２は本発明の検出手段の一例である。音提示部Ａ１１１は本発明の音出力手段の一例である。音提示部Ｂ１２２は本発明の第２音出力手段の一例である。
【００１４】
以上のように構成された本実施の形態１のデジタル放送受信装置の動作について説明する。アンテナ１０１で受信された信号は、高周波部１０２内で増幅及び適当な周波数に変換がなされる。高周波部１０２は増幅・周波数変換した信号を信号処理部１０３に出力するとともに、受信入力信号レベル（受信状態）に応じた電圧を作成して音提示部Ａ１１１とピークホールド部１２１に対し出力する。
【００１５】
信号処理部１０３内では、高周波部１０２が出力する信号を復調し画像提示部１０４に出力する。画像提示部１０４は前記復調出力を画像としてユーザーに提示する。
【００１６】
一方、音提示部Ａ１１１は高周波部１０２の出力する電圧に応じて周波数を可聴範囲内で変化させる電圧制御発振器であり、前記電圧をトーン音に変換してユーザーに提示する。また、ピークホールド部１２１は前記電圧の最大値を保持し、その保持した最大値の電圧を音提示部Ｂ１２２に対して出力する。音提示部Ｂ１２２は音提示部Ａ１１１と同様の電圧制御発振器であり、前記ピークホールド部１２１の電圧出力をトーン音に変換してユーザーに提示する。
【００１７】
デジタル放送受信装置を取り扱う人は、画像提示部１０４の提示する放送映像を視認しつつ、音提示部Ａ１１１の提示するトーン音の周波数の変化により受信電界レベルの変化を知ることができるから、適宜、受信機の方向・場所、人の位置などを変えることにより、受信電界レベルを最適な様にできる。
【００１８】
更に、音提示部Ｂ１２２の提示するトーン音を同時に参照することで、２つのトーン音の周波数の差がもっとも小さくなるように、適宜、受信機の方向・場所、人の位置などを変えることにより、容易に受信電界レベルを最適な様にできる。
【００１９】
なお、上記実施例では、音提示部Ａ１１１及びピークホールド部１２１は高周波部１０２で生成した信号に基づき動作したが、信号処理部１０３で生成した信号に基づき動作してもよい。例えば、信号処理部１０３の復調回路から放送波の誤り率に応じた電圧を音提示部Ａ１１１及びピークホールド部１２１に出力してもよい。
【００２０】
更に、音提示部Ａ１１１またはＢ１２２の出力を常に提示するのではなく、ユーザーの指示に応じてミュートしてもよい。或いは受信電界レベルが一定の範囲にある場合にミュートしてもよい。
【００２１】
また、発明の効果は低くなるが、ピークホールド部１２１と音提示部Ｂ１２２を省いて実施しても良い。
【産業上の利用可能性】
【００２２】
本発明は、視覚サービスの表示状態と電界強度とを同時に参照することが必要な用途にも適用でき、例えば、デジタル放送受信装置や携帯電話端末、情報端末等に適用できる。
【図面の簡単な説明】
【００２３】
【図１】本発明の第１の実施例を示すブロック図
【符号の説明】
【００２４】
１０１    アンテナ
１０２    高周波部
１０３    信号処理部
１０４    画像提示部
１１１    音提示部Ａ
１２２    音提示部Ｂ
１２１    ピークホールド部
【図１】
2006303560.tif 000003